(57)【特許請求の範囲】
【請求項１】
ブレスレット（１０）用の調節可能な連結金具（１）であって、少なくとも１つの第１のハーフリンク（２）と、少なくとも１つの第２のハーフリンク（３）を備え、前記２つのハーフリンクは互いに対して一方向（Ｄ）に可動であり、係留ユニットを形成しており、
−前記第１のハーフリンク（２）は、少なくとも１つの接続およびロック部材（２３）を備える、あるいは固定式にまたは前記方向（Ｄ）に移動度が制限された状態で少なくとも１つの接続およびロック部材（２３）と共に組み立てられ、前記接続およびロック部材（２３）は、前記方向（Ｄ）に延在しロック手段（２４）を備えており、
−前記第２のハーフリンク（３）は、相補的なロック手段（３４）を含む、あるいは固定的にまたは前記方向（Ｄ）に移動度が制限された状態で相補的なロック手段（３４）と共に組み立てられ、
−前記ロック手段（２４）と、前記相補的なロック手段（３４）は協働して少なくとも２つのロック位置を画定することで、前記第１のハーフリンク（２）を前記第２のハーフリンク（３）に対して動かないようにし、前記位置は前記方向（Ｄ）において互いから離れた別々の位置であり、
−前記ロック手段（２４）および／または前記相補的なロック手段（３４）は、前記方向（Ｄ）で及ぼされ所与の値を超える一定の力の作用の下に、前記相補的なロック手段（３４）および／または前記ロック手段（２４）の中にそれぞれ含まれる弾性戻り手段に対抗するように可動であることにより、前記第１のハーフリンク（２）と前記第２のハーフリンク（３）間の位置を前記方向（Ｄ）に相対的に変更することが可能であることを特徴とする調節可能な連結金具（１）。
【請求項２】
前記第２のハーフリンク（３）は、少なくとも１つの凹部（３３）を備え、前記凹部は前記方向（Ｄ）に延在し、前記接続およびロック部材（２３）が、前記離れたロック位置の一方のみに保持されるように進むことができるように構成されており、前記相補的なロック手段（３４）は、前記凹部（３３）に近接して配置されることを特徴とする、請求項１に記載の調節可能な連結金具（１）。
【請求項３】
前記接続およびロック部材（２３）は、少なくとも１つのフランジ（１２３）を備え、前記フランジは前記方向（Ｄ）に平行な面内に延在し、少なくとも１つの長円の穴（１３５）を含んでおり、前記穴は前記方向（Ｄ）に延在し、少なくとも１つの収縮部（１３７）を備え、前記収縮部の両側で前記穴（１３５）は２つのチャンバの境界を定めており、前記チャンバの各々は最小限の遊びでピン（１５３）を収容することが可能であり、前記穴（１３５）は、前記フランジ（１２３）の弾性式に変形可能な領域に作成されることで、前記ピン（１５３）が前記収縮部（１３７）に対抗するように前記方向（Ｄ）で一定の力を受けたとき、前記ピン（１５３）が前記収縮部（１３７）を通過することが可能であり、前記力は、前記収縮部（１３７）と前記穴（１３５）によって前記ピン（１５３）に及ぼされる弾性の戻り力に打ち勝つのに十分な強さであり、前記ピン（１５３）と前記穴（１３５）は、前記ロック手段（２４）と前記相補的なロック手段（３４）を形成することを特徴とする、請求項１に記載の調節可能な連結金具（１）。
【請求項４】
前記フランジ（１２３）は、少なくとも１つの他方の長円の穴（１２５）を備えており、前記穴は前記方向（Ｄ）に延在し、少なくとも１つの収縮部（１２７）を備えており、前記収縮部の両側で前記穴（１２５）は２つのチャンバの境界を定めており、前記チャンバの各々は最小限の遊びでピン（１５２）を収容することが可能であり、前記穴（１２５）は、前記フランジ（１２３）の弾性式に変形可能な領域に作成されることで、前記ピン（１５２）が前記収縮部（１２７）に対抗するように前記方向（Ｄ）で一定の力を受けたとき、前記ピン（１５２）が前記収縮部（１２７）を通過することが可能であり、前記力は、前記収縮部（１２７）と前記穴（１２５）によって前記ピン（１５２）に及ぼされる弾性の戻り力に打ち勝つのに十分な強さであり、前記ピン（１５２）と前記穴（１２５）は協働して、前記第１のハーフリンク（２）を前記フランジ（１２３）を備える前記接続およびロック部材（２３）と共に、前記方向（Ｄ）で離れた位置において移動度が制限された状態で、組み立てる手段を形成していることを特徴とする、請求項３に記載の調節可能な連結金具（１）。
【請求項５】
前記第１のハーフリンク（２）の反対側に前記第２のハーフリンク（３）は、少なくとも１つのキャップ（９０）を備え、前記キャップが孔（９）を備えることで、前記ピン（１５３）を最小限の遊びで受けることで、前記フランジ（１２３）をその前記離れたロック位置の一方において前記凹部（３３）の中に閉じ込め、前記ピン（１５３）はまた、ブレスレットの一端のヒンジピンを形成するように構成される、および／または前記第１のハーフリンク（２）は、少なくとも１つの凹部（３３）を備え、前記凹部は前記方向（Ｄ）に延在し、前記接続およびロック部材（２３）が通過することができるように構成されており、前記第２のハーフリンク（３）の反対側に少なくとも１つのキャップ（９１）を備え、前記キャップが孔（９）を含むことで、前記ピン（１５２）を最小限の遊びで受けることで、前記フランジ（１２３）をその前記離れた位置の一方において前記凹部（３３）の中に閉じ込め、前記ピン（１５２）はさらに、ブレスレットの一端のためのヒンジピンを形成するように構成されることを特徴とする、請求項２および３に記載の調節可能な連結金具（１）。
【請求項６】
前記第１のハーフリンク（２）と、前記第２のハーフリンク（３）の間に閉じ込められた少なくとも１つのマスキング要素（５）を含み、前記マスキング要素（５）は、少なくとも１つの前記接続およびロック部材（２３）に当接するように設置され、少なくとも１つのピン（１５０）によってその上に保持されており、前記ピンは、前記マスキング要素（５）と前記接続およびロック部材（２３）の両方を貫通していることを特徴とする、請求項１に記載の調節可能な連結金具（１）。
【請求項７】
前記少なくとも１つの第１のハーフリンク（２）と、前記少なくとも１つの第２のハーフリンク（３）は、誘導手段（２１）および相補的な誘導手段（３１）が協働することによって互いに対して誘導され、停止手段（２２）と相補的な停止手段（３２）が協働することによって係留ユニットを形成しており、前記接続およびロック部材は、少なくとも１つの指（２２３）を備え、前記指は前記方向（Ｄ）に延在し、前記方向（Ｄ）に対してほぼ半径方向の弾性戻り装置を有するロック手段（２４）を備え、前記ロック手段（２４）は、折り畳み位置と、広がった位置の間で可動であり、前記第２のハーフリンク（３）は、少なくとも１つのチャネル（３３）を含み、前記チャネルは方向（Ｄ）に延在し、前記指（２２３）が前記ロック手段（２４）の前記折り畳みまたは広がった位置の一方のみを通過することができるように構成されており、前記チャネル（３３）に近接して、前記第２のハーフリンク（３）はさらに、少なくとも一方のロック位置において、前記ロック手段（２４）の前記広がったまたは折り畳み位置の他方にある前記ロック手段（２４）と協働するように構成された相補的なロック手段（３４）を備え、前記ロック手段（２４）と前記相補的なロック手段（３４）は協働して、前記方向（Ｄ）に少なくとも２つの前記離れた別々のロック位置を画定することを特徴とする、請求項１に記載の調節可能な連結金具（１）。
【請求項８】
前記第１のハーフリンク（２）および前記第２のハーフリンク（３）はそれぞれ前記方向（Ｄ）に、互いに対する前記連結金具の係留組立体のための前記停止手段（２２）と前記相補的な停止手段（３２）を備えることで、前記第１のハーフリンク（２）の第１の軸受面（２５）が前記第２のハーフリンク（３）の第２の軸受面（３５）と接触する第１の近接位置と、前記停止手段（２２）が、前記相補的な停止手段（３２）と接触する第２の離れた位置の間に最大限の調節移動距離を画定することを特徴とする、請求項７に記載の調節可能な連結金具（１）。
【請求項９】
前記ロック手段（２４）および／または前記相補的なロック手段（３４）は、少なくとも１つの傾斜路を備えることで、前記方向（Ｄ）で前記第１のハーフリンク（２）および／または前記第２のハーフリンク（３）に加えられる一定の力の作用の下、ならびに前記第１のハーフリンク（２）と前記第２のハーフリンク（３）が相対運動する間、前記ロック手段（２４）が、前記折り畳み位置から前記広がった位置に変わることが可能であり、あるいはその逆もまた同様であることを特徴とする、請求項７に記載の調節可能な連結金具（１）。
【請求項１０】
前記ガイド手段（２１）、それぞれの前記相補的なガイド手段（３１）は、前記相補的なガイド手段（３１）、それぞれの前記ガイド手段（２１）を形成する指を補助する孔によって形成され、前記指は、前記指を担持するハーフリンクに対して長さを調節することが可能であることを特徴とする、請求項７に記載の調節可能な連結金具（１）。
【請求項１１】
前記第１のハーフリンク（２）および前記第２のハーフリンク（３）はそれぞれ、第１チャンバ（２６）と、第２チャンバ（３６）を備え、前記２つのチャンバは、前記第１のハーフリンク（２）と、前記第２のハーフリンク（３）が互いに対して組み立てられる際、単独のチャンバ（４）を画定するように構成されており、前記調節可能な連結金具（１）は、少なくとも１つのマスキング要素（５）を備え、前記マスキング要素（５）は前記第１のハーフリンク（２）と、第２のハーフリンク（３）の間の前記単独のチャンバ（４）の中に閉じ込められ、前記組み立て後の調節可能な連結金具（１）の少なくとも頂部面（６）側で、前記ガイド手段（２１）、前記相補的なガイド手段（３１）、前記停止手段（２２）、前記相補的な停止手段（３２）、前記指（２２３）、前記ロック手段（２４）、前記チャネル（３３）および前記相補的なロック手段（３４）を隠すように構成されることを特徴とする、請求項７に記載の調節可能な連結金具（１）。
【請求項１２】
前記第１のハーフリンク（２）および前記第２のハーフリンク（３）は、調節機構全体を組み込む中心本体（１００）を囲むフレームを形成しており、少なくとも前記第１のハーフリンク（２）または前記第２のハーフリンク（３）は、停止手段（３２）を備える少なくとも１つの指（２２３；３２３）によって形成される少なくとも１つのガイド手段（２３）を含んでおり、前記指は、少なくとも１つの弾性Ｏリング接合部（２４０）を含む少なくとも１つのロック手段（２４）を担持しており、前記Ｏリング接合部は前記指（２２３；３２３）の溝に設置され、前記中心本体（１００）によって担持されるリブ（１０１）によって形成される少なくとも１つの相補的なロック手段と当接して協働しており、前記リブ（１０１）の各々の側に水平方向の凹部（１０２；１０３）を画定し、その中で前記接合部（２４０）を前記リブ（１０１）の一方または他方の側で停止させることができることを特徴とする、請求項１に記載の調節可能な連結金具（１）。
【請求項１３】
前記第１のハーフリンク（２）および前記第２のハーフリンク（３）はそれぞれ、少なくとも１つの前記指（２２３；３２３）を含み、前記指はそれぞれ対向する停止手段（３２）を含むことで前記調節可能な連結金具（１）を係留式にすることを特徴とする、請求項１２に記載の調節可能な連結金具（１）。
【請求項１４】
前記第１のハーフリンク（２）および前記第２のハーフリンク（３）は、調節機構全体を組み込む中心本体（１００）を囲むフレームを形成しており、前記調節可能な連結金具（１）は、少なくとも１つの弾性ロック要素（２４）を備え、前記要素は、片矢印または両矢印の形状の平坦なくさびばね（２００）によって形成され、少なくとも１つの弾性スロット（２０１；２１１）を備え、前記第１のハーフリンク（２）のための少なくとも１つのコーナー締め具（２０２）を備え、前記少なくとも１つのスロットに対向して弾性式に変形可能な前方部分を備え、前記前方部分は、前記第２のハーフリンク（３）によって担持される複数の調節ノッチ（２０４）のうちの前記第２のハーフリンク（３）の調節ノッチ（２０４）と協働する少なくとも１つの調節コーナー（２０３）を備え、一方のノッチから他方のノッチへの変更は、前記方向（Ｄ）での牽引力または推力から生じる前記くさび（２００）の圧縮によって可能であることを特徴とする、請求項１に記載の調節可能な連結金具（１）。
【請求項１５】
前記コーナー締め具（２０２）はまた、調節コーナー（２０３）でもあることにより、前記第１のハーフリンク（２）によって担持される複数の前記調節ノッチ（２０４）の間で前記第１のハーフリンク（２）に対して可動であることを特徴とする、請求項１４に記載の調節可能な連結金具（１）。
【請求項１６】
少なくとも２つのブレスレットの紐を備えるブレスレット（１０）であって、請求項１に記載の少なくとも１つの調節可能な連結金具（１）を備え、各々のハーフリンク（２；３）は、ブレスレットの紐に装着するための手段（９）を備え、前記装着手段（９）によって前記ブレスレットの紐に装着されることを特徴とするブレスレット（１０）。
【発明の詳細な説明】
【技術分野】
【０００１】
本発明は、ブレスレット用の調節可能な連結金具に関し、これは、少なくとも１つの第１のハーフリンクと、少なくとも１つの第２のハーフリンクを含み、これらは互いに対して一方向に可動であり、協働して１つの組立体を形成しており、この場合両方のハーフリンクは分離することができず、以後この組立体を係留ユニットと呼ぶ。
【０００２】
本発明はまた、少なくとも２つのブレスレットの紐を含むブレスレットに関する。
【０００３】
本発明は、調節可能な締め具の分野に関し、詳細にはヒトまたは動物の体に装着することが意図された対象物に関する調節可能な締め具の分野に関する。本発明は、詳細にはブレスレット、ベルト、ストラップ、ハーネスおよび同様の対象物のための締め具に関するものであり、これらは特に宝石、皮製品またはさらには馬具の分野で利用される。
【背景技術】
【０００４】
ブレスレット、ネックレス、ベルト、ストラップおよび同様の対象物は一般に、調節可能なやり方で所定の位置に固定され、これにより正確に再配置することが可能になり、ユーザは、指と複数の穴のうちの１つの穴を協働させる、あるいはピンをラックにまたは同様の器具に引っかけることによってこれを調節することができる。摩擦を利用して位置を維持する継続的な締め具は、正確な再配置を実現しない。
【０００５】
気候因子やユーザの形態構造や快適さを考慮する目的で、例えば２つの所定の位置の間で長さが調節可能な締め具を有することが必要なことが多い。
【０００６】
ＥＬＦＩＸ  ＰＲＯＤＵＣＴＩＯＮ  ＳＡ名義の特許文献１は、留め金カバー内に一体化されたブレスレットの長さを細かく調節するための器具を開示しており、これは２つの所定の位置に割出しするための器具を備え、ばねボール押しボタンを含んでおり、このボタンは横バーに係留され、ブレスレットの一端に接続され、留め金カバーに設けられた穿孔と協働するように構成されている。
【０００７】
ＴＨＥ  ＳＷＡＴＣＨ  ＧＲＯＵＰ  ＭＡＮＡＧＥＭＥＮＴ  ＳＥＲＶＩＣＥＳ  ＡＧ名義の特許文献２およびＷＥＲＴＨＡＮＯＲ  ＳＡ名義の特許文献３は、腕時計またはブレスレット用の調節可能な連結金具を開示しており、この場合、アンロックボタンを作動させて一方の長さ割出し位置から他方の位置に変更することによって調節が行なわれる。
【０００８】
ＰＥＲＩＬＬＡＴ  ＣＯＬＯＭＢ名義の特許文献４は、ブレスレットの長手方向に延在するバーを開示しており、その両端はそれぞれ、ばねバーまたはバーに設けられた穴と協働する止め金具のいずれかによって、所定の割出し位置において連結金具の一部に係合する。一方の位置から他方の位置に変更するには特定の工具を利用する必要がある。このような割出し器具は、横方向に延在しており、かなりの大きさの空間を必要とする。それらはまた、目に見えるため、ブレスレットの全体的な魅力を損なうことにもなる。
【０００９】
このような既知の器具は横方向に作用し、一般に調節を行なうのに特定の工具を必要とし、目に見える状態である。
【先行技術文献】
【特許文献】
【００１０】
【特許文献１】スイス国特許第６９９０６７号
【特許文献２】欧州特許第０７３７４２７号
【特許文献３】スイス国特許第６９５６５６号
【特許文献４】仏国特許第２６７０９９５号
【発明の概要】
【発明が解決しようとする課題】
【００１１】
本発明の目的は、従来技術の解決法と比べてよりコンパクトな解決法を提供することであり、これはブレスレットの長手方向に作用し、特定の工具を持たない調節可能な機構を利用するものであり、この場合調節機構は隠された状態であり、調節可能な連結金具を短くなった位置に戻すための戻り手段を備える。
【００１２】
したがって本発明は、ブレスレット用の調節可能な連結金具に関し、これは少なくとも１つの第１のハーフリンクと、少なくとも１つの第２のハーフリンクを備え、これらは互いに対して一方向に可動であり、係留ユニットを形成しており、
−該第１のハーフリンクは、少なくとも１つの接続およびロック部材を備える、あるいは固定式にまたは該方向に移動度が制限された状態で少なくとも１つの接続およびロック部材と共に組み立てられ、該接続およびロック部材は、該方向に延在しロック手段を備えており、
−該第２のハーフリンクは、相補的なロック手段を含む、あるいは固定式にまたは該方向に移動度が制限された状態で相補的なロック手段と共に組み立てられ、
−該ロック手段と、該相補的なロック手段は協働して少なくとも２つのロック位置を画定することで、該第１のハーフリンクを該第２のハーフリンクに対して動かないようにし、該位置は該方向において互いから離れた別々の位置であり、
−該ロック手段および／または該相補的なロック手段は、該方向で及ぼされ所与の値を超える一定の力の作用の下に、該相補的なロック手段および／または該ロック手段の中にそれぞれ含まれる弾性戻り手段に対抗するように可動であることにより、該第１のハーフリンクと該第２のハーフリンク間の位置を該方向に相対的に変更することが可能であることを特徴とする。
【００１３】
本発明の特徴によると、該少なくとも１つの第１のハーフリンクと、該少なくとも１つの第２のハーフリンクは、誘導手段と相補的な誘導手段が協働することによって互いに対して誘導され、停止手段と相補的な停止手段が協働することによって係留ユニットを形成し、該接続およびロック部材は、少なくとも１つの指を備え、この指は、該方向に延在し、該方向に対して実質的に半径方向の弾性戻り装置を有するロック手段を備え、このロック手段は折り畳み位置と広がった位置の間で可動であり、該第２のハーフリンクは、少なくとも１つのチャネルを含んでおり、これは該方向に延在し、該指が、該ロック手段の該折り畳み位置または広がった位置の一方のみに進むことができるように構成されており、該チャネルに近接して、該第２のハーフリンクがさらに、少なくとも一方のロック位置において該ロック手段の該広がったまたは折り畳み位置の他方にある該ロック手段と協働するように構成された相補的なロック手段を含み、該ロック手段および該相補的なロック手段が協働して該方向に離れた別々の少なくとも２つのロック位置を画定する。
【００１４】
本発明の別の特徴によると、該第１のハーフリンクと該第２のハーフリンクは、調節機構全体を組み込む中心本体を囲むフレームを形成し、少なくとも該第１のハーフリンクまたは該第２のハーフリンクは、停止手段を備える少なくとも１つの指によって形成される少なくとも１つのガイド手段を含み、この指は、少なくとも１つの弾性Ｏリング接合部を含む少なくとも１つのロック手段を担持しており、このＯリング接合部は該指の溝に設置され、前記中心本体によって担持されるリブによって形成される少なくとも１つの相補的なロック手段と当接して協働しており、該リブの各々の側に水平方向の筐体を画定し、その中で該接合部を該リブの一方または他方の側で停止させることができる。
【００１５】
本発明の別の特徴によると、該第１のハーフリンクと該第２のハーフリンクは、調節機構全体を組み入れる中心本体を囲むフレームを形成し、該調節可能な連結金具は、少なくとも１つの弾性ロック要素を備え、これは片矢印または両矢印の形状の平坦なくさびばねによって形成され、少なくとも１つの弾性スロットを備え、該第１のハーフリンクのための少なくとも１つのコーナー締め具を備え、該少なくとも１つのスロットに対向して前方の弾性式に変形可能な部分を備え、これは、該第２のハーフリンクによって担持される複数の調節ノッチのうちの該第２のハーフリンクの特定の調節ノッチと協働する少なくとも１つのコーナー調節装置を備え、一方のノッチから他方のノッチへの変更は、該方向の牽引力または推力から生じる該くさびの圧縮によって可能である。
【００１６】
本発明はさらに、少なくとも２つのブレスレットの紐を含むブレスレットに関し、それは締め付け手段によってブレスレットの紐に固定される少なくとも１つの調節可能な連結金具を備えることを特徴とする。
【００１７】
本発明の他の特徴および利点は、以下の詳細な記載を添付の図面を参照して読むことでより明確になるであろう。
【図面の簡単な説明】
【００１８】
【図１】第１の広がった位置にロックされた、本発明による調節可能な連結金具の第１の変形形態の概略斜視図である。
【図２】折り畳み位置にロックされた図１の調節可能な連結金具の概略頂面図である。
【図３】広がった位置での図１の調節可能な連結金具の概略側面図である。
【図４】広がった位置での図１の調節可能な連結金具の、図２の断面ＡＡに沿った長手方向の概略断面図である。
【図５】広がった位置での図１の調節可能な連結金具の、図２の断面ＢＢに沿った長手方向の概略断面図である。
【図６】折り畳み位置での図１の調節可能な連結金具の概略側面図である。
【図７】折り畳み位置での図１の調節可能な連結金具の、図２の断面ＡＡに沿った長手方向の概略断面図である。
【図８】折り畳み位置での図１の調節可能な連結金具の、図２の断面ＢＢに沿った長手方向の概略断面図である。
【図９】組み立て位置でのロック指と共に示された図１の調節可能な連結金具のハーフリンクの概略斜視図であり、別のハーフリンクに係留される、ロック指を担持する面に見ることができるガイド手段に挿入されるように構成された相補的ガイド手段を備えた分解組立図である。
【図１０】特定のマスキング要素を備えた本発明の一変形形態の図５と同様の概略部分図である。
【図１１】本発明による調節可能な連結金具を組み込むブレスレットの概略斜視図である。
【図１２】曲線を成す方向に移動度を有する本発明の一変形形態の図５と同様の概略部分図である。
【図１３】本発明の一変形形態の詳細の概略斜視図である。
【図１４】特定のロック手段を備えた本発明の一変形形態の図５と同様の図である。
【図１５】特定の相補的なロック手段を備えた本発明の別の変形形態の図１４と同様の部分図である。
【図１６】調節可能な連結金具の折り畳み位置における、調節可能な連結金具の移動度の方向に平行な面に沿った本発明のマスキング要素の作動機構の詳細の概略的な長手方向の部分断面図である。
【図１７】調節可能な連結金具の広がった位置での図１６の機構を示す図である。
【図１８】広がった位置にロックされた本発明の調節可能な連結金具の別の変形形態の概略頂面図である。
【図１９】折り畳み位置にロックされた同一の調節可能な連結金具の図１８と同様の図である。
【図２０】広がった位置における図１８の調節可能な連結金具の概略側面図である。
【図２１】図１８の調節可能な連結金具の概略的な分解組立頂面図である。
【図２２】図２１と同様の方法で図１８の調節可能な連結金具の中間の組み立てステップを示す図であり、２つのフランジ上に事前に組み立てられ、中央ピンによってそこに係留された中央のマスキング要素を備えた図である。
【図２３】図１８の調節可能な連結金具の詳細の概略側面図であり、水平方向のフランジばねと協働する２つの横断ピンを備え、制限されない状態は実線で、弾性式の変形を受ける場合は点線で示された図である。
【図２４】本発明の調節可能な連結金具のさらに別の変形形態の概略的な分解組立斜視図であり、中心本体を備え、２つのハーフリンクがそれに対して別々に可動である図である。
【図２５】本発明の調節可能な連結金具のさらに別の変形形態の概略的な分解組立斜視図であり、中心本体を備え、２つのハーフリンクがそれに対して別々に可動である図である。
【図２６】最小寸法の特定の位置にある図２４および図２５の変形形態の概略側面図であり、図２７に対応する図である。
【図２７】調節可能な連結金具内に含まれる調節構成要素の軸を通り調節方向に平行な面上での頂部断面図である。
【図２８】最小寸法の調節位置にある図２７の面ＡＡに沿った断面図である。
【図２９】最大寸法の調節位置にある図２７の面ＡＡに沿った断面図である。
【図３０】最大寸法の調節位置にある図２７の面ＣＣに沿った断面図である。
【図３１】同じ数だけの調節位置の組に対応する複数のリブを備えた多重調節の変形形態の詳細の図である。
【図３２】同じ数だけの調節位置の組に対応する複数の接合部を備えた多重調節の変形形態の詳細の図である。
【図３３】弾性くさびばねを備えた、本発明による調節可能な連結金具のさらに別の変形形態の詳細の頂部図である。
【図３４】図３３の連結金具の長手方向の断面図である。
【図３５】図３３のくさびばねの一変形形態の図である。
【発明を実施するための形態】
【００１９】
本発明はさらに、ブレスレット１０用の調節可能な連結金具１に関する。
【００２０】
本発明は、調節可能な締め具の分野に関し、詳細にはヒトまたは動物の体に装着することが意図された対象物に関する締め具の分野に関する。本発明は、詳細にはブレスレット、ネックレス、ベルト、ストラップ、ハーネスおよび同様の対象物のための締め具に関するものであり、これらは特に宝石、皮製品またはさらには馬具の分野で利用される。
【００２１】
このような対象物は、サイズまたは詳細な形状が異なるが、同様のやり方で作用し、以下において１つの用語「ブレスレット」で呼ぶことにする。
【００２２】
図２に見られるように、この調節可能な連結金具１は、少なくとも１つの第１のハーフリンク２と、少なくとも１つの第２のハーフリンク３を含み、これらは、ガイド手段２１と相補的なガイド手段３１が協働することによって、互いに対して移動度の方向Ｄにおいて可動式に組み立てられるように構成されている。
【００２３】
本発明は、互いに対して可動な２つの相補的なハーフリンクの簡素化された非制限的なケースをここでは記載しているが、本発明によって、互いに対して移動させることができるより多くの要素を備える調節可能な連結金具を作成することが可能であることは当然のことである。
【００２４】
この移動度の方向Ｄは、具体的には図１から図１０に示されるように直線である場合、あるいは図１２に見られるように曲線を成す場合もあり、これは恐らく特に女性用または子供用ブレスレットの場合の小さな曲率半径を有するブレスレットに有利である。
【００２５】
この第１のハーフリンク２と、第２のハーフリンク３は協働して係留ユニットを形成しており、その結果停止要素は、直接的にあるいはマスキング要素５などの少なくとも１つの中間要素または以下に説明する本発明の変形形態による中心本体１００に関して互いに対するそれぞれの移動距離を制限する。
【００２６】
本発明によると、第１のハーフリンク２は、少なくとも１つの接続およびロック部材２３を備える、あるいは固定式にまたは方向Ｄに移動度が制限された状態で少なくとも１つの接続およびロック部材２３と共に組み立てられる。この接続およびロック部材２３は、方向Ｄに延在しており、ロック手段２４を備える。
【００２７】
第２のハーフリンク３は、相補的なロック手段３４を備える、あるいは固定式にまたは方向Ｄに移動度が制限された状態で相補的なロック手段３４と共に組み立てられる。
【００２８】
ロック手段２４と相補的なロック手段３４は協働して少なくとも２つのロック位置を画定することで、第１のハーフリンク２を第２のハーフリンク３に対して動かなくする。これらの位置は、方向Ｄにおいて互いから離れた別々の位置である。
【００２９】
ロック手段２４および／または相補的なロック手段３４は、方向Ｄで及ぼされ所与の値を超える一定の力の作用の下に、相補的なロック手段３４および／またはロック手段２４の中にそれぞれ含まれる弾性の戻り手段に対抗するように可動であることにより、第１のハーフリンク２と第２のハーフリンク３間の位置を方向Ｄにおいて相対的に変更することが可能である。方向Ｄで加えるべき力は、弾性戻り手段によって及ぼされる抵抗力の印加の強度および角度に左右されることは明らかである。弾性戻り手段は、ユーザの片手によって、したがって適度な力によって、調節可能な連結金具１を作動させて調節位置を変更することができるように大きさを決めるべきであるが、但し連結金具が、ユーザまたはユーザの衣服によるいかなる動きにも関係なく、ユーザによって選択された位置に留まることを保証する必要がある。
【００３０】
特定の一実施形態において、具体的には図１８から図２３によると、第２のハーフリンク３は少なくとも１つの凹部３３を含み、これは方向Ｄに延在し、少なくとも１つの接続およびロック部材２３が、このような離れたロック位置の一方のみに進み、それをその中に保持することができるように構成されている。相補的なロック手段３４は好ましくは、この凹部３３に近接して配置される。
【００３１】
図１８から図２３のこの同一の実施形態では、接続およびロック部材２３は、少なくとも１つのフランジ１２３を含んでおり、これは方向Ｄに平行な面内に延在し、方向Ｄに延在する少なくとも１つの長円の穴１３５を含む。このフランジ１２３は、少なくとも１つの収縮部１３７を含んでおり、この収縮部の両側で穴１３５は２つのチャンバの境界を定めており、このチャンバの各々は最小限の遊びでピン１５３を収容することが可能である。この穴１３５は、フランジ１２３の弾性式に変形可能な領域に作成されることで、方向Ｄで収縮部１３７に対抗するようにユーザによって該ピン１５３を担持するハーフリンクに与えられる一定の力を受けたとき、ピン１５３が収縮部１３７を通過することが可能である。この力は、収縮部と穴１３５によってピン１５３に及ぼされる弾性の戻り力に打ち勝つのに十分な強さである。ピン１５３と穴１３５は協働してロック手段２４と相補的なロック手段３４を形成する。図２３は、フランジ１２３の静止状態を実線で示し、方向Ｄの一定の力が加えられた結果としてのフランジの変形を点線で示しており、これにより収縮部１３７を実質的に方向Ｄに直交するように押し戻すことでピンがその中を通過することが可能になる。
【００３２】
図２３の好ましい実施形態では、フランジ１２３は、少なくとも１つの他方の長円１２５を備えており、この穴は方向Ｄに延在し、少なくとも１つの収縮部１２７を含んでおり、この収縮部の両側でこの穴１２５は２つのチャンバの境界を定めており、このチャンバの各々は別のピン１５２を収容することが可能であり、このとき最小限の遊びで他のハーフリンクに係留される。同様に穴１２５は、フランジ１２３の弾性式に変形可能な領域に作成されることで、ピン１５２が収縮部１２７に対抗するように方向Ｄで一定の力を受けたとき、ピンが収縮部１２７を通過することが可能である。この力は、収縮部と穴１２５によってピン１５２に及ぼされる弾性の戻り力に打ち勝つのに十分な強さである。ピン１５２と穴１２５は協働して、第１のハーフリンク２をフランジ１２３を備える接続およびロック部材２３と共に、方向Ｄで離れた位置において移動度が制限された状態で、組み立てる手段を形成している。
【００３３】
好ましくは第２のハーフリンク３は、第１のハーフリンク２の反対側に少なくとも１つのキャップ９０を備えており、これが孔９を備えることで、この種のピン１５３を最小限の遊びで受けることで、離れたロック位置の一方においてフランジ１２３を該凹部３３の中に捕らえる。この同一のピン１５３はまた、ブレスレットの一端のためのヒンジピンを形成する。第１のハーフリンク２は、少なくとも１つの凹部３３を備え、これは方向Ｄに延在し、接続およびロック部材２３またはフランジ１２３がその中を通過することができるように構成されている。第２のハーフリンク３と同様に第１のハーフリンク２は、ハーフリンク３の反対側に少なくとも１つのキャップ９１を備えており、これが孔９を備えることで、ピン１５２を最小限の遊びで受けることで、その離れたロック位置の一方においてフランジ１２３を凹部３３の中に捕らえる。ピン１５２もまた、ブレスレットの一端のためのヒンジピンを形成する。
【００３４】
有利には本発明によると、調節機構を保護し、該機構を種々の調節位置において隠すために、調節連結金具１は、少なくとも１つのマスキング要素５を備えており、これは第１のハーフリンク２と、第２のハーフリンク３の間に閉じ込められ、少なくとも１つの該接続およびロック部材２３に当接している。好ましくはマスキング要素５は、図１８から図２２に示される態様のように、部材２３上、あるいは部材２３が複数ある場合は複数の部材２３上に保持され、この場合、直接あるいはリングまたは管１５１を介して、少なくとも１つのピン１５０がマスキング要素５と接続およびロック部材２３の両方を貫通することによって、２つの平行なフランジ１２３が調節部材２３を形成する。
【００３５】
ブレスレットを安定させる目的で、マスキング要素５をユーザに見えるハーフリンクの頂部に適切に位置決めし、調節可能な連結金具１に隣接する連結金具と、該調節可能な連結金具の間の特定の並びを維持することで、それらの間の継ぎ目によって限定された角度のある遊びが可能になるように、第１のハーフリンク２および／または第２のハーフリンク３は、第１のハーフリンク２および第２のハーフリンク３の中にそれぞれ含まれる頂部リップ９３、９４に対してピン１５０および／またはマスキング要素５を押しつける少なくとも１つの軸受面９２を備える。
【００３６】
好ましくは第１のハーフリンク２および第２のハーフリンク３は、方向Ｄに延在する中央の面Ｐに対して対称的であり、連結金具１は、中央の面Ｐに対して対称的に設置された接続およびロック部材２３を備える。この第１のハーフリンク２および第２のハーフリンク３はまた組み立てられることで、停止手段２２と相補的な停止手段３２が協働することによって係留ユニットを形成する。
【００３７】
特定の一実施形態において、具体的には図１から図１７において、第１のハーフリンク２は、少なくとも１つの指２２３を備えており、これは方向Ｄに延在し、方向Ｄに対してほぼ半径方向の弾性戻り手段を備えたロック手段２４を備える。このロック手段２４は、折り畳み位置と、広がった位置の間で可動である。
【００３８】
第２のハーフリンク３は、相補的なやり方で少なくとも１つのチャネル３３を含んでおり、これは方向Ｄに延在し、指２２３が、該チャネル３３に対応する指２２３のロック手段２４の折り畳み位置または広がった位置の一方のみに進むことができるように構成されている。当然ながら、少なくとも第１のハーフリンク２にある指２２３と同じ数だけのチャネル３３が、第２のハーフリンク３に存在する。
【００３９】
各々のチャネル３３に近接して、第２のハーフリンク３はさらに相補的なロック手段３４を備えており、これは少なくとも一方のロック位置において、該ロック手段２４の他方の広がったまたは折り畳み位置にある関連するチャネル３３に対応する指２２３のロック手段２４と協働するように構成されている。
【００４０】
図５および図８に示されるように、経済的な一実施形態では、指２２３は、その直径がチャネル３３のものより大きい頭部を備えており、本体の端部では、その直径はチャネル３３のものより小さい、またはそれと等しい。該頭部はスリットであり、それに弾性を与えるのがスロットである。図面に示されるように本体もまたスリットである場合がある。ロック手段２４は、少なくとも一方向に、好ましくは指２２３の両方の運動方向に進入円錐を備える。相補的なロック手段３４は、進入傾斜路を備えた少なくとも１つの溝を備えており、その傾斜角度は指２２３の頭部のものに近い。
【００４１】
このような傾斜路または進入円錐によって、調節可能な連結金具１を過剰な力を必要とせずに扱うことで、一方のロック位置から他方のロック位置に変更することが可能になる。
【００４２】
本発明の一変形形態において、（これはいかなる技術者にも理解しやすいものであるため本明細書に詳細には記載されていない）その作動はほぼ同じであるが、但し逆向きであり、弾性戻り手段は指２２３に配置されず、（それはこのとき剛性であり）チャネル３３内に配置される。
【００４３】
ロック手段２４と、相補的なロック手段３４は協働して、方向Ｄに少なくとも２つの離れた別々のロック位置を画定する。図１５は、複数のロック位置を有する一変形形態を示している。この複数の位置は、相補的なロック手段３４上に示されており、複数の半径方向に可動な要素を備えた指２２３を作成する、あるいはさらに２つの構成を組み合わせることも均等に可能であることが明らかである。
【００４４】
有利な一変形実施形態において、図１４に示されるように指２２３は、少なくとも１つの溝を備え、その中にはＯリング接合部２４０または同様の要素が設置されており、これは例えばゴムまたは同様のものなどの弾性式に変形可能な材料でできており、静止時のその形状は概ね円環状であり、該接合部２４０はロック手段２４を形成している。この実施形態は特に経済的であり、具体的には小型化が可能であるため、極めて小さいサイズのブレスレットに有利である。図１４は、第２のハーフリンク３が、３つ以上の数の複数の相補的なロック手段３４を備える場合を示しており、それぞれがこの例ではＯリング接合部を受け入れるための溝３４０によって形成されている。
【００４５】
好ましくは、および図１から図１７に見られるように、第１のハーフリンク２および第２のハーフリンク３はそれぞれ方向Ｄに、互いに対する連結金具の係留組立体のための停止手段２２と、相補的な停止手段３２を備えることで、第１のハーフリンク２の第１の軸受面２５が第２のハーフリンク３の第２の軸受面３５に接触する第１の近接位置と、停止手段２２が相補的な停止手段３２と接触する第２の離れた位置の間で最大限の調節移動距離を画定する。
【００４６】
図示される構成は、図９に見られるようにブラインド組立体が必要な場合に有利である。第１のハーフリンク２に指２２３を設け、その後ガイド手段２１として作用する孔の中に、ねじ込みピン３２３（相補的なガイド手段３１として作用する）を挿入し、これを第２のハーフリンク３の中にねじ込むのは容易なことである。このようなピンは、相補的な停止手段３２を形成する鍔で終わっており、係留組立体はこのようにして極めて容易に実現される。
【００４７】
一方のロック位置から他方のロック位置に変更するには、ハーフリンクの一方に他方に対して方向Ｄの一定の力を加える必要があり、この力は、図８の位置から図５の位置に変更するための牽引力、あるいはそうでなければ圧縮力のいずれかである。この方向Ｄの力をロック手段２４の抵抗力に打ち勝つのに十分な強度の半径方向の構成要素による特定の力に変換するために、ハーフリンク２および３の一方および／または他方に特定の外形が配置される。したがって好ましくはロック手段２４および／または相補的なロック手段３４は、少なくとも１つの長円または湾曲した傾斜路を備えており、これにより方向Ｄで第１のハーフリンク２および／または第２のハーフリンク３に加えられる一定の力の作用の下、ならびに第１のハーフリンク２と第２のハーフリンク３が相対運動する間、ロック手段２４が、折り畳み位置から広がった位置に変わることが可能であり、あるいはその逆もまた同様である。
【００４８】
この傾斜路は、図５および図８の実施形態のように円錐形である場合、あるいは図１４に見られるように球体の一部である、あるいは同様の形状の場合がある。
【００４９】
図面に見られる有利な一実施形態では、ガイド手段２１は、一端において停止手段２２によって制限され、相補的なガイド手段３１は、一端において相補的な停止手段３２によって制限されている。
【００５０】
図面に見られる特定の一実施形態では、指２２３およびチャネル３３は、それぞれガイド手段２１および相補的なガイド手段３１と別個のものである。
【００５１】
好ましくは図面に見られるように、指２２３は、第１のハーフリンク２の第１の軸受面２５に近接して配置され、例えば内側のねじ山と外側のねじ山が協働することによってそれに対して長さを調節することが可能である。この長さの調節はまた、例えばねじ込み式の指２２３が１つまたは複数のピンホールを備えた鍔を含む場合、離れた位置を占める場合もあり、各々の位置は、第１のねじ込み式のハーフリンク２内に含まれる１つまたは複数の穴を利用してピンによって割出しすることが可能である。
【００５２】
好ましい一実施形態において、これは極めて確実であり適当な価格であるが、ガイド手段２１、それぞれの相補的なガイド手段３１は、相補的なガイド手段３１、それぞれのガイド手段２１を形成する指を補助する孔によって形成され、指は、それが担持されるハーフリンクに対して長さを調節することが可能である。この長さの調節は、指２２３に関して上記に記載したのと同様のやり方で実現することができる。図面は、好ましい一実施形態を図示しており、この場合停止手段２２、それぞれの相補的な停止手段３２は、半径方向に指を超えて延在する鍔によって形成され、該鍔は、ガイド手段２１、それぞれの相補的なガイド手段３１に対して同軸の凹部の中へと移動し、該凹部は、該鍔を支持するカウンターボアを備えた一端を含んでおり、該カウンターボアは、相補的な停止手段３２、それぞれの該停止手段２２を形成している。
【００５３】
図面の例示の実施形態では、ガイド手段２１および関連する相補的なガイド手段３１は二重であり、互いに対して平行な方向に延在することで、調節可能な連結金具１が調節操作中または使用中に座屈するのを阻止する。図面に示されない一変形形態では、ガイド手段２１および関連する相補的なガイド手段３１は、少なくとも１つの平坦な部分または同様の部分を備えることで、それらが互いから離れるように移動する、あるいは互いに近づくように移動する際、方向Ｄが直線であろうと曲線であろうと、第１のハーフリンク２と第２のハーフリンク３の方向Ｄに直交する面同士の運動が平行であることを保証する。
【００５４】
図面、特に図９に見られるように、この種の組立体によって、ハーフリンクを互いに対して極めて容易に組み立てることが可能になる。
【００５５】
有利には、第１のハーフリンク２および第２のハーフリンク３はそれぞれ、第１チャンバ２６と、第２チャンバ３６を備え、これらは第１のハーフリンク２と、第２のハーフリンク３が互いに対して組み立てられる際、単独のチャンバ４を画定するように構成されている。調節可能な連結金具１はこのとき、少なくとも１つのマスキング要素５を備え、これは第１のハーフリンク２と、第２のハーフリンク３の間にある単独のチャンバ４内に閉じ込められ、組み立て後の調節可能な連結金具１の少なくとも頂部面６側で、ガイド手段２１および相補的なガイド手段３１、あるいは具体的には指またはピン３２３、停止手段２２、相補的な停止手段３２、指２２３、ロック手段２４、チャネル３３および相補的なロック手段３４によって形成される調節および安全機構全体を隠すように構成されている。このマスキング要素５は好ましくは、チャンバ４のものと相補的な外形を有する。
【００５６】
好ましくはこのマスキング要素５はまた、方向Ｄにおいて調節可能な連結金具１の頂部面６に隣接して、その両側にある２つの水平面７、８上のフランジ５１を介して、ガイド手段２１および相補的なガイド手段３１、停止手段２２、相補的な停止手段３２、指２２３、ロック手段２４、チャネル３３および相補的なロック手段３４によって形成される調節および安全機構全体を隠すように構成されている。
【００５７】
マスキング要素５を頂部面６に近接してハーフリンク２および３の内壁に対して確実に押しつけるために、マスキング要素５は有利には軸受面５４を備えており、これはハーフリンク２または３の少なくとも一方に含まれる少なくとも１つの相補的な軸受面２９と協働するように構成されることで、カムのように、調節可能な連結金具１の頂部面６に近接して位置する第１チャンバ２６と第２チャンバ３６の端部に当接するようにマスキング要素５を保持する。簡素な一実施形態において、軸受５４または相補的な軸受面２９の一方は他方に対して傾斜することで、調節可能な連結金具１が閉鎖または開放される際、マスキング要素５のその場限りの横断運動が生じる。
【００５８】
本発明による調節可能な連結金具１の特に有利な態様が、図２５から図３１に示されている。ハーフリンク２および３は、調節機構全体を組み込む中心本体１００を囲むフレームを形成することで、ユーザにそれが見えないようにする。非限定的なやり方において、中心本体１００は、本明細書では両側に、ハーフリンク３内に含まれる中心ほぞ３０を受けるためのほぞ穴の形態の中心凹部１０８と、ハーフリンク２内に含まれる水平方向の止め金具２０および中心止め金具１１０を受けるためのノッチの形態の幅広の筐体１０９を含む。当然ながら、他の構成も想定することができ、特に１つまたは複数のほぞが中心本体１００にある場合、あるいは１つまたは複数のほぞ穴がハーフリンクにある場合などを想定することができ、これらのほぞとほぞ穴の実施形態は、実質的に中央本体１００を第１の連結金具に対して位置合わせして、ブレスレットの残りの部分を調節可能な連結金具１に対して適切に保持する。
【００５９】
少なくとも第１のハーフリンク２または第２のハーフリンク３および好ましくは各々のハーフリンク２、３は、少なくとも１つのガイド手段２３、具体的には少なくとも１つの指を備え、これは停止手段３２、具体的には頭部またはねじ頭部２３０を備えている。図面に示される態様において、各々の指２２３、３２３はそれぞれ、ハーフリンク２、３の一方にねじ込まれ、頭部２３０を備え、その片面が該停止手段３２を形成している。各々のハーフリンク２、３は、少なくとも１つのロック手段２４を担持しており、これは本明細書では指２２３またはそれぞれの３２３の溝の中に弾性式に設置された少なくとも１つのＯリング接合部２４０である。各々の頭部２３０は、他方のハーフリンク３、２のチャンバ１０７内に移動し、その一方の壁が、停止手段３２の移動停止手段の相補的な端部を画定する。特定のねじ頭部を収容するために、凹部１１２または同様のものが設けられる。接合部２４０は、少なくとも１つの相補的なロック手段、より具体的には例示される態様では、中心本体１００の中に含まれる少なくとも１つの止め金具またはリブ１０１と当接するように協働し、各々の側に水平方向の凹部１０２、１０３を画定し、そこで接合部２４０を、リブ１０１の一方または他方の側で該リブに接するように停止させることができる。よってこのような凹部１０２、１０３はそれぞれ、中心本体１００に対して接合部２４０を担持するハーフリンク２または３の特定の相対位置に対応している。図３１は、複数のリブ１０１、１０１Ａ・・・を備えた特定の構成を図示しており、これは同じ数だけの凹部１０２、１０３、１０２Ａ、１０３Ａ、・・・を画定しており、これにより同じ数だけの接合部２４０の位置ならびにこれにより該接合部を担持するハーフリンク２または３の位置を画定している。図３２は、逆の構成を図示しており、この場合指２２３が、同一リブ１０１と協働する複数の接合部２４０を担持している。したがって複数の離れた位置を有する調節可能な連結金具１を製造することが可能である。図２５から図３０に示されるモデルは、３つの調節位置を備えており、２つのハーフリンク２および３を中心本体１００に完全に押し込んだ場合の最も短い位置と、２つのハーフリンク２および３を中心本体１００からできるだけ離した場合の最も長い位置と、２つのハーフリンクの一方は中心本体１００に完全に押し込まれるが、他方は可能な限り離れている中間位置の３つの位置である。当然のことながら、ハーフリンク２および３に装着された指２３が移動する距離が異なるならば、このときユーザが第１のハーフリンク２または第２のハーフリンク３のどちらを中心本体１００に対して移動させるかによって、１つの中間位置の変わりに２つの中間位置を画定することが可能である。当然ながら、ユーザにとって最も簡単な動作は、２つのブレスレットの紐を引っ張ることで、調節可能な連結金具を掴み、これによって最大限の距離で調節を行なうことであり、これはまた特に魅力的な対称性の利点も提供する。この種の調節可能な連結金具は頑強で、魅力的であり、製造コストも適切であるため、同一の時計用バンドで複数回利用することができる。例えば各々が１．５ｍｍの移動距離を有し、留め金に対して対称的に配置された２つの調節可能な連結金具を利用することによって、３ｍｍの全体の調節力が実現する。
【００６０】
当然ながらこのような変形形態は図９のものと同様のやり方で、１つまたは複数の指２２３またはそれぞれの３２３によって形成される１つの調節要素のみを備えるように改良することができ、他方の指３２３、それぞれの２２３はこのとき、ただ１つの停止鍔または同様の停止部材を有するように構成され、調節はこのとき片側のみで行なわれる。このような構成は、調節振幅に関する利点は小さいが、時計用バンドを、好ましくは時計のケースの各々の側にあるホーンの直ぐ後ろに配置された調節可能な連結金具と適合させることが可能である。
【００６１】
一変形形態において、弾性接合部２４０は、リブ１０１と別の停止面、例えば図３１に見られるように同一タイプの別のリブとの間に保持される。
【００６２】
好ましくは第１のハーフリンク２および第２のハーフリンク３はそれぞれ、少なくとも１つの指２２３、それぞれの３２３を含んでおり、この指はそれぞれ対向する停止手段３２を備えることで調節可能な連結金具１を係留式にする。
【００６３】
中心本体１００は調節機構を全体的に覆っているため、これは完全に清潔なままである。調節可能な連結金具１は、中心本体１００の下方部分を介してユーザの手首に載せられ、ユーザは、調節する際に全く不快感を感じることはなく、ユーザは、片手を使ってブレスレットまたは時計を自分の手首に簡便に装着することができる。
【００６４】
図３３から図３５は、別の変形実施形態を示しており、これは極めて平凡な利点を有しており、これはまた中心本体１００によって合理化されている。弾性のロック要素２４はここでは、好ましくは平坦なくさびばね２００によって形成されており、これは、図３５では片矢印または両矢印の形状である。
【００６５】
このくさびばね２００は、例えばばね鋼または同様のもので作成されており、好ましくは方向Ｄに対称的であり、１つまたは複数の弾性スロット２０１、２１１を有する。それはまた、第１のハーフリンク２のためのコーナー締め具２０２を備える。図３３は、第１のハーフリンク２に対して固定された位置にあるコーナー締め具２０２を示しており、第１のハーフリンク２は、コーナー２０２のものと相補的な外形のノッチまたは蟻継ぎまたは同様のものを備える。１つまたは複数のスロットに対向する弾性式に変形可能な前方部分は、少なくとも１つの調節コーナー２０３を備え、これは第２のハーフリンク３によって担持される複数の調節ノッチ２０４のうちの第２のハーフリンク３の少なくとも１つの調節ノッチ２０４と協働する。一方のノッチから他方のノッチへの変更は、方向Ｄにおける牽引力または推力によってもたらされるくさび２００の圧縮によって可能になる。図３５は、コーナー締め具２０２がまた調節コーナーであることにより、第１のハーフリンク２によって担持される調節ノッチ２０４に関して、第１のハーフリンク２に対して可動である一変形形態を示しており、それが可動ではない図３３とは異なっている。中心本体１００のリブ１０１または移動制限止め金具１１１は有利には、くさびばね２００の往復運動を制限する。簡単に分解するために、Ｖ字型の端部を有する工具２０５がくさびばね２００に対して押し込まれてスロット２０１を閉鎖することになり、これによりコーナー２０３をノッチ２０４から解放させて２つのハーフリンクを分離させることで調節可能な連結金具１を完全に解体する。
【００６６】
図１６および図１７に示される例示の一実施形態において、マスキング要素の軸受面５４は、第１のハーフリンク２および第２のハーフリンク３にそれぞれ係留され、交差して配置された２つの傾斜路３７および３８によって担持されるジャーナル軸受３９であることにより、ハーフリンクが互いにより近づくように移動する、あるいは互いから離れるように移動する際、ジャーナル軸受３９を方向Ｄにほぼ直交して横向きにさらに離れるように、またはより近づけるように移動させる。
【００６７】
一変形形態において、フランジ５１はそれぞれねじ５３を含んでおり、これが軸受面５４を形成しており、その端部は水平方向の溝の中に収容され、相補的な軸受面２９を形成しており、これが例えば第２のハーフリンク３などのハーフリンクの一方に含まれることで、マスキング面５から頂部面６までの距離を調節する。この距離は、水平方向の溝が方向Ｄに平行ならば一定であってよく、あるいは図５および図８に示されるように位置が変化する際に見られるように、水平方向の溝が、調節可能な連結金具１の頂部面６に近接して位置する第１チャンバ２６および第２チャンバ３６の端部においてマスキング要素５を押圧するように考案される場合は可変であってよい。
【００６８】
図１０に見られる別の簡素化された変形形態では、マスキング要素５は、調節および安全機構両側においてこの機構を隠すように配置されるが、但しこれは可動式ではない。
【００６９】
図面に示されていない別の変形形態では、マスキング要素５は、チャンバ４内に制限されず、その底部にあるストリップばね、または同様の器具によって調節可能な連結金具１の頂部面６に当たるように単純に戻されるだけである。
【００７０】
マスキング要素５は、図示の実施形態では、中空の円筒形の一部の形態で作成され、２つのフランジ５１によって境界が定められている。
【００７１】
好ましい一実施形態において、極めて経済的であるため、方向Ｄは直線である。
【００７２】
ブレスレットまたは宝石または時計に締め付けるために、各々のハーフリンク２、３は、ブレスレットの紐または同様のものに装着する手段９を備える。
【００７３】
本発明はまた、少なくとも２つのブレスレットの紐を備え、該装着手段９によってブレスレットの紐に装着される少なくとも１つの調節可能な連結金具１を備えるブレスレット１０に関する。
【００７４】
本発明はしたがって、指摘された目的を満足させ、ブレスレットの長手方向に作用し、特定の工具を使用しない調節機構を備えており、この場合調節機構は隠された状態であり、調節可能な連結金具をその短くなった位置に戻すための戻り手段を備える。この機構は、非線形の形状に適用可能であり、完全に安全な状態で容易に調節することが可能であり、ブレスレットをなくす危険性は全くない。
【図１】
0005715712.tif 000002
【図２】
0005715712.tif 000003
【図３】
0005715712.tif 000004
【図４】
0005715712.tif 000005
【図５】
0005715712.tif 000006
【図６】
0005715712.tif 000007
【図７】
0005715712.tif 000008
【図８】
0005715712.tif 000009
【図９】
0005715712.tif 000010
【図１０】
0005715712.tif 000011
【図１１】
0005715712.tif 000012
【図１２】
0005715712.tif 000013
【図１３】
0005715712.tif 000014
【図１４】
0005715712.tif 000015
【図１５】
0005715712.tif 000016
【図１６】
0005715712.tif 000017
【図１７】
0005715712.tif 000018
【図１８】
0005715712.tif 000019
【図１９】
0005715712.tif 000020
【図２０】
0005715712.tif 000021
【図２１】
0005715712.tif 000022
【図２２】
0005715712.tif 000023
【図２３】
0005715712.tif 000024
【図２４】
0005715712.tif 000025
【図２５】
0005715712.tif 000026
【図２６】
0005715712.tif 000027
【図２７】
0005715712.tif 000028
【図２８】
0005715712.tif 000029
【図２９】
0005715712.tif 000030
【図３０】
0005715712.tif 000031
【図３１】
0005715712.tif 000032
【図３２】
0005715712.tif 000033
【図３３】
0005715712.tif 000034
【図３４】
0005715712.tif 000035
【図３５】
0005715712.tif 000036